(57)【要約】【課題】  洗面器置き台としても使用することができ、また、小容器を外して水を汲む洗面器等としても使用することのできる使用勝手が良好な浴室カウンターを提供する。【解決手段】  浴室１の洗い場３に設置されて洗面器などを載せることのできるカウンターにおいて、このカウンター４の一部には切欠き部４ｂが形成されており、この切欠き部４ｂに着脱可能に嵌め込まれる小容器１２と、この小容器１２の上面開口部を略開閉できる蓋体１３とが備えられている。【選択図】        図１
2005168850.tif 000002
【特許請求の範囲】
【請求項１】
浴室の洗い場に設置されて洗面器などを載せることのできる浴室カウンターにおいて、該カウンターの一部には切欠き部が形成されているとともに、該切欠き部に着脱可能に嵌め込まれる小容器と、該小容器の開口部を略開閉できる蓋体とが備えられていることを特徴とする浴室カウンター。
【請求項２】
前記小容器に軸を介し前記蓋体が回動可能に一体化されていることを特徴とする請求項１に記載の浴室カウンター。
【請求項３】
前記蓋体が前記小容器の開口部を略閉塞した状態で、該蓋体の表面と前記カウンターの切欠き部以外の上面とが略同一平面となるように設定されていることを特徴とする請求項１または請求項２に記載の浴室カウンター。
【発明の詳細な説明】
【技術分野】
【０００１】
本発明は、浴室の洗い場に設置される浴室カウンターに関するものである。
【背景技術】
【０００２】
従来、特許文献１に開示されているように、浴室の洗い場に設置されるカウンターに、洗面器が嵌め込まれて保持される切欠きが設けられたものが存在する。
【特許文献１】特開平９−２２８６６３号公報
【発明の開示】
【発明が解決しようとする課題】
【０００３】
上記従来構造では、カウンターに洗面器を取り外し可能に取り付けることができるが、カウンターの上面に洗面器を置いたりする時には切欠きが邪魔になり、使用勝手が悪いという問題点があった。
【課題を解決するための手段】
【０００４】
本発明は上記従来の問題点に鑑み案出したものであって、洗面器置き台としても有効に使用することができ、使用勝手が良好化する浴室カウンターを提供せんとするものであり、請求項１は、浴室の洗い場に設置されて洗面器などを載せることのできる浴室カウンターにおいて、該カウンターの一部には切欠き部が形成されているとともに、該切欠き部に着脱可能に嵌め込まれる小容器と、該小容器の開口部を略開閉できる蓋体とが備えられていることである。
また、請求項２は、前記小容器に軸を介し前記蓋体が回動可能に一体化されていることである。
また、請求項３は、前記蓋体が前記小容器の開口部を略閉塞した状態で、該蓋体の表面と前記カウンターの切欠き部以外の上面とが略同一平面となるように設定されていることである。
【発明の効果】
【０００５】
本発明は、カウンターの一部に切欠き部が形成され、切欠き部に着脱可能に嵌め込まれる小容器と、小容器の開口部を略開閉できる蓋体とが備えられていることにより、小容器を切欠き部に嵌め込み、小容器の開口部に蓋体を被せることにより、蓋体上に洗面器とかシャンプー等を良好に置くことができ、洗面器置き台としても使用することができるものとなる。
また、蓋体を開けることで、小容器を洗面器として使用することができ、小容器を切欠き部から外して、洗面器として水を汲んだりして使用でき、また容易に清掃することができるものとなる。
また、カウンターの切欠き部から小容器と蓋体を外すことで、浴室内のスペースを広げたり、カウンターの下の掃除がしやすくなったり、また、バケツなどに水を汲みやすくなり、使用勝手が良好なものとなる。
【０００６】
また、小容器に軸を介し蓋体が回動可能に一体化されていることにより、カウンターの切欠き部から小容器を取り外す場合、蓋体も同時に取り外すことができ、別々に外す手間がなくなり、掃除も容易となり、使用勝手が良好なものとなる。
【０００７】
また、蓋体が小容器の開口部を略閉塞した状態で、蓋体の表面とカウンターの切欠き部以外の上面とが略同一平面となるように設定されていることにより、蓋体の表面とカウンターの上面が面一となり、カウンター上の何れの場所にでも洗面器や洗剤ボトルなどを置くことができ、カウンターの使い勝手が良好なものとなる。
【実施例】
【０００８】
以下、本発明の実施例を図面に基づいて説明する。
図１は、浴室カウンターの設置状態の斜視構成図である。
浴室１の洗い場３側の壁面２にはカウンター４が設置されており、このカウンター４には、壁面２側に立ち上げて前板４ａが形成されている。
また、カウンター４には、着脱可能に小容器１２と、この小容器１２の上面を蓋する蓋体１３が設けられている。
なお、図２は、蓋体１３を開けて、小容器１２内で泡を発生させている状態の斜視構成図である。
【０００９】
カウンター４は、図４に示すように、中央部に上下方向に貫通して切欠き部４ｂが形成されており、この切欠き部４ｂの左右側には段部４ｃ，４ｃが形成されて、この段部４ｃ，４ｃに、図３の断面図で示すように、小容器１２の上端に外側へ一体的に突出形成された鍔部１２ｃを載せて、小容器１２を切欠き部４ｂに着脱可能に嵌め込んで取り付けることができるように構成されている。
【００１０】
なお、小容器１２の上面の開口部Ｋを蓋するように、蓋体１３を閉じた状態では、図３に示すように、蓋体１３の表面がカウンター４の上面と面一状をなして、同一平面となるように設定されており、このような状態では、蓋体１３上に洗面器とか洗剤ボトルなどを置くことができ、カウンター４の何処にでも洗面器や洗剤ボトルが置けて、使用勝手が良好なものとなる。また、蓋体１３上に洗面器が載せられた場合は、洗面器置き台として機能することとなる。
【００１１】
本例では、小容器１２と蓋体１３は、例えば図５の断面図で示すような構造となっている。
即ち、小容器１２の底面には、排水栓１７を着脱できる排水口１２ａが貫通形成されており、小容器１２の背面には、裏側へ貫通して水抜き孔１２ｂが形成されている。この水抜き孔１２ｂの裏側にはリング状のパッキン１９が設けられている。
蓋体１３の前端側には、指を入れることのできる手掛け孔１３ａが上下に貫通形成されており、この蓋体１３の後端側は、軸１８を介して小容器１２に対し上下方向に回動できるように構成されている。
【００１２】
また、蓋体１３の手掛け孔１３ａの内周には、吸気口１４が開口されており、この吸気口１４からエアー流路１５が蓋体１３内に形成され、エアー流路１５は小容器１２の背側に連通されており、エアー流路１５の下端部は、小容器１２の底側に設けられた噴気部１６に連通されている。この噴気部１６は、多孔質部材で形成されている。
【００１３】
なお、図４に示すように、カウンターの前板４ａには、前方側へ突出した突出管部８ａが設けられ、この突出管部８ａから上方へ立ち上がってエアー接続部８が設けられている。
この突出管部８ａには、前板４ａの裏側でエアー流路７が接続されており、エアー流路７は、例えば浴室の天井裏などに設置した図示しないエアーポンプに接続されている。
【００１４】
小容器１２及び蓋体１３をカウンター４の切欠き部４ｂに取り付けて、蓋体１３を開けて小容器１２を洗面器として使用することもでき、また、適宜取り外して別の場所で水を汲んだりして使用することもでき、取り外しが容易であり、小容器１２及び蓋体１３を良好に掃除することができ、また、取り外した状態で良好にカウンター４を掃除することができ、カウンター４の下方側の掃除等も極めて容易なものとなる。
【００１５】
なお、本例の小容器１２では、内部に湯を入れると、余分な湯は水抜き孔１２ｂから排出されて、小容器１２内に適量の湯が溜められることとなり、この状態でボディシャンプー等の液状洗剤を入れて、小容器１２内で良好に泡を発生させることができる。
即ち、図２に示すように、蓋体１３を前板４ａ側に起立させると、蓋体に設けられている手掛け孔１３ａ内に突出管部８ａが嵌まり込み、吸気口１４とエアー接続部８が整合されて連通状態となり、前板４ａに設けられているスイッチ１０をＯＮすることで、エアーポンプからエアー流路７を通しエアー接続部８にエアーが送り込まれ、エアーは吸気口１４からエアー流路１５を通り噴気部１６から噴出されることとなり、これにより、噴出されたエアーで小容器１２内で良好に泡を発生させることができ、発生された泡を利用して洗顔等を良好に行うことができるものとなり、また、泡を利用して浴室内の掃除も良好に行えるものとなる。
なお、パッキン１９が壁面２に当接することで、水抜き孔１２ｂからの泡の逃げは防がれるものとなる。
【００１６】
次に、図６及び図７は、変更例を示すものであり、図６では、カウンター４の切欠き部４ｂの後方に、軸を介し開閉可能に蓋体１３を設けたものであり、切欠き部４ｂの段部４ｃ，４ｃ上には小容器１２のみを着脱可能に取り付けできるように構成したものである。
なお、本例の小容器１２の上面の開口部Ｋの前端側には、突出状に噴出口１２ｄが一体形成されており、小容器１２内の底側に設けた噴気部１６には、外側よりホース１５が接続され、ホース１５の先端にはカプラ式の吸気口１４が設けられている。
一方、カウンター４の下部の壁面２などには、エアー接続部８を設けておき、このエアー接続部８にワンタッチで吸気口１４を差し込んで接続し、小容器１２内の噴気部１６からエアーを噴出させて、小容器１２内で泡を発生させることができるように構成されている。
【００１７】
なお、図７のように、小容器１２を切欠き部４ｂに着脱可能に取り付けて、さらに蓋体１３で蓋した状態では、噴出口１２ｄのみが開口された状態となり、小容器１２内で泡が発生されると、泡は蓋体１３に邪魔されて、狭い噴出口１２ｄのみから洗い場３側へ噴出されることとなり、噴出口１２ｄは狭いために、噴出される泡は極めてきめの細かい泡となり、肌に優しいきめの細かい泡で良好に洗顔等を行うことができるものとなる。
【００１８】
なお、図７の場合にも、蓋体１３を閉じた状態では、カウンター４上面と蓋体１３の表面は面一状の平面となり、この蓋体１３上に洗面器等を置いて、洗面器置き台として有効に利用できるものとなる。
図６及び図７の構成では、小容器１２のみをカウンター４から取り外して、水を汲んだりして、浴室内の他の場所でも有効に使用することができ、使用勝手が良好なものとなる。
【図面の簡単な説明】
【００１９】
【図１】浴室に設置されたカウンターの斜視図である。
【図２】蓋体を開けてカウンターに設けた小容器内で泡を発生させている状態の斜視構成図である。
【図３】小容器及び蓋体をカウンターに取り付けた状態の正面側から見た断面拡大図である。
【図４】小容器及び蓋を取り外した状態のカウンターの斜視構成図である。
【図５】小容器及び蓋体の一例を示す縦断面構成図である。
【図６】カウンター側に蓋体が設けられている場合の別例を示す分解斜視図である。
【図７】図６のカウンターに小容器を取り付け、蓋体で蓋した状態の斜視構成図である。
【符号の説明】
【００２０】
１    浴室
２    壁面
３    洗い場
４    カウンター
４ａ    前板
４ｂ    切欠き部
４ｃ    段部
７    エアー流路
８    エア接続部
８ａ    突出管部
１０    スイッチ
１２    小容器
１２ａ    排水口
１２ｂ    水抜き孔
１２ｃ    鍔部
１２ｄ    噴出口
１３    蓋体
１３ａ    手掛け孔
１４    吸気口
１５    エアー流路
１６    噴気部
１７    排水栓
１８    軸
１９    パッキン
【図１】
2005168850.tif 000003
【図２】
2005168850.tif 000004
【図３】
2005168850.tif 000005
【図４】
2005168850.tif 000006
【図５】
2005168850.tif 000007
【図６】
2005168850.tif 000008
【図７】
2005168850.tif 000009